【事件の表示】
　特許第２８５０１７７号「液晶表示素子」の請求項１及び２に係る特許に対する特許異議の申立について、次のとおり決定する。　
【結　論】
　訂正を認める。
　特許第２８５０１７７号の請求項1及び２に係る特許を維持する。
【理　由】
１．手続の経緯
　特許第２８５０１７７号の請求項１および請求項２に係る発明は、平成４年４月１８日に出願され、平成１０年１１月１３日に設定登録され、その後、セイコーエプソン株式会社および諸田昭夫より特許異議の申立がなされ、取消理由通知がなされ、その指定期間内である平成１１年１２月１０日に訂正請求がなされたものである。
２．訂正の適否についての判断
（１）訂正の内容
　特許権者が求めている訂正の内容は、以下のとおりである。
ａ．特許請求の範囲の請求項１を「複数の透明電極を形成した２枚の基板で液晶を挟んだ液晶表示素子において、
　前記各透明電極の表示部と端子部との間に、屈曲した引出部が前記表示部から連続して形成され、前記端子部とは反対側の端部に、前記透明電極を直線的に延出してそれぞれ第１の疑似電極が形成され、相互に隣接する第１の疑似電極同士は、全て等面積となるように形成されていることを特徴とする液晶表示素子。」と訂正する。
ｂ．特許請求の範囲の請求項２を「前記引出部の近傍に、第２の疑似電極が形成されていることを特徴とする請求項１記載の液晶表示素子。」と訂正する。
ｃ．発明の詳細な説明の［課題を解決するための手段］中の請求項１および請求項２に係る発明に関する記載を特許請求の範囲の訂正に合わせて訂正する。
（２）訂正の目的の適否、新規事項の有無及び拡張・変更の存否
　上記訂正事項ａないしｃは、特許明細書の請求項１及び請求項２に係る発明に構成要件を直列的に付加するものであるから、特許請求の範囲を減縮するものである。
　また、これらの事項は、特許明細書の第９段落、第１０段落、図２、図３に記載されている事項であるから、これらの訂正は新規事項の追加には当たらない。
　さらに、これらの訂正は、実質的に特許請求の範囲を拡張又は変更するものでもない。
（３）独立特許要件
　（訂正明細書に係る発明）
　訂正明細書の請求項１および請求項２に係る発明は、その特許請求の範囲の請求項１および請求項２に記載された事項により特定される前記したとおりのものである。
　（刊行物）
　当審における取消理由通知で引用した刊行物１（特開平３−１６３４１８号公報）には、上基板１と下基板１’のそれぞれに形成された複数の透明電極２，２’、透明電極２，２’に連続して形成されたリード電極３，３’、透明電極２，２’から延出されてリード電極と反対側に形成されたスペーサー４からなる液晶表示素子が記載されている。
　また、異議申立人諸田昭夫が甲第２号証として提出した刊行物２（特開平３−２４５２３号公報）には、電極２，４を設けた１対の基板１，３の間に電気光学媒体を挟持する電気光学セルにおいて、基板の間隔にむらが生じるのを防ぐためにダミー電極７を設けることが記載されている。
　さらに、異議申立人セイコーエプソン株式会社が参考資料１として提出した刊行物３（特開昭６３−２６６３１号公報）には、基板１上の画像表示部２のゲート母線２Ａ，信号母線（ソース母線）２Ｂと接続端子部３，５との間が屈曲した接続配線部４，６により接続され、その近傍には、ダミー配線８が形成された液晶表示素子が記載されている。
　（比較）
　訂正明細書の請求項１に係る発明（以下、前者という。）と刊行物１に記載された発明（以下、後者という。）を比較すると、両者はともに液晶表示素子に関する発明であって、後者の「基板１，１’」、「透明電極２，２’」、「リード電極３，３’」、「スペーサー４」が前者の「２枚の基板」、「透明電極」、「端子部」、「第１の疑似電極」にそれぞれ相当しており、後者の「スペーサー４」が「透明電極２，２’」から直線的に延出され、それらが全て等面積になっていることは刊行物１の第１，２図や第３，４図から明らかであるから、両者は、ともに「複数の透明電極を形成した２枚の基板で液晶を挟んだ液晶表示素子において、
　前記各透明電極の端子部とは反対側の端部に、前記透明電極を直線的に延出してそれぞれ第１の疑似電極が形成され、相互に隣接する第１の疑似電極同士は、全て等面積となるように形成されている液晶表示素子。」である点で一致するものの、
前者は、各透明電極の表示部と端子部との間に、屈曲した引出部が前記表示部から連続して形成されているのに対し、後者では、表示部の透明電極２，２’がそのまま直線的に延出されリード電極３，３’に接続されている点で相違する。
　（判断）
　この相違点について検討するに、前記刊行物３には、前記のごとく、基板１上の画像表示部２のゲート母線２Ａ，信号母線（ソース母線）２Ｂと接続端子部３，５との間が屈曲した接続配線部４，６によりそれぞれ接続される構造が記載されており、この接続構造を刊行物１の透明電極２，２’とリード電極３，３’の接続に適用すれば、前記相違点に係る構成は、当業者が容易に想到できたものである旨の主張が異議申立人セイコーエプソン株式会社によりなされているが、刊行物３に記載されているものは、１つの基板１上に双方の電極、すなわちゲート母線２Ａとソース母線２Ｂがともに形成されるものであり、また、これらの両電極線はそれぞれトランジスタ（ＴＦＴ）のゲート電極とソース電極に電気信号を供給する例えばＡｌ配線であって、刊行物１に記載されているような透明電極ではない。
　このように、刊行物３に記載されている液晶表示素子は、刊行物１に記載される複数の透明電極を形成した２枚の基板で液晶を挟み、その表示部の透明電極がそのまま端子部に引き出されるような液晶表示素子とは異なるものであるから、刊行物３に記載されている技術事項を刊行物１の透明電極２、２’とリード電極３，３’の構造に採用することが当業者に容易であるとはいえない。
　また、前記刊行物２には、前記相違点に係る透明電極の表示部と端子部との間の引出部構造を示唆する事項は記載されていない。
　結局、透明電極の端子部への引出構造は屈曲したものとし、端子部とは反対側の疑似電極は直線状に延出されるものとする構造は、いずれの刊行物にも記載されていないし、また、それを示唆する記載もない。
　さらに、本件訂正後の請求項１に係る発明の構成により奏される疑似電極に対する電磁波の影響を低減させ表示品位を向上させるという効果についてもいずれの刊行物にも記載されていないし、示唆する記載もない。
　以上のとおりであるから、本件訂正後の請求項１に係る発明が刊行物１ないし刊行物３に記載された発明に基づき、当業者が容易に発明できたものとすることはできない。
　また、本件訂正後の請求項２に係る発明は、前記請求項１に係る発明をさらに限定したものであるから、刊行物１ないし刊行物３に記載された発明に基づき、当業者が容易に発明できたものとすることはできない。
　したがって、本件訂正明細書の請求項１及び請求項２に係る発明は、出願の際独立して特許を受けることができるものである。
（４）むすび
　以上のとおりであるから、上記訂正は、特許法第１２０条の４第２項及び同条第３項で準用する第１２６条第２−４項の規定に適合するので、当該訂正を認める。
３．特許異議申立てについての判断
（１）申立の理由の概要
　特許異議申立人セイコーエプソン株式会社は、甲第１号証として前記刊行物１、参考資料１として前記刊行物３を提出し、また、特許異議申立人諸田昭夫は、甲第１号証として前記刊行物１、甲第２号証として前記刊行物２を提出し、それぞれ、本件請求項１及び請求項２に係る発明は、提出した刊行物１と同一であるか、または、提出した刊行物に記載された発明に基づき当業者が容易に発明できたものであるから、特許法第２９条第２項の規定により特許を受けることができないものであり、これらの発明についての特許は取り消されるべきであるとの主張をしている。
（２）判断
　本件特許明細書は前記のとおり訂正されたので、本件請求項１及び請求項２に係る発明は、前記２．（２）独立特許要件の項において示したように、刊行物１に記載された発明とは異なるものとなり、また、前記刊行物１ないし３に記載された発明に基づき当業者が容易に発明できたものともいえないから、いずれの申立人の主張も採用できない。
（むすび）
　以上のとおりであるから、特許異議申立の理由及び証拠によっては、本件請求項１及び請求項２に係る発明についての特許を取り消すことはできない。
　よって、結論のとおり決定する。
【異議決定日】
平成１２年２月１日（２０００．２．１）
【訂正の要旨】
　訂正の要旨
　１．特許請求の範囲の請求項１を「複数の透明電極を形成した２枚の基板で液晶を挟んだ液晶表示素子において、
　前記各透明電極の表示部と端子部との間に、屈曲した引出部が前記表示部から連続して形成され、前記端子部とは反対側の端部に、前記透明電極を直線的に延出してそれぞれ第１の疑似電極が形成され、相互に隣接する第１の疑似電極同士は、全て等面積となるように形成されていることを特徴とする液晶表示素子。」と訂正する。
２．特許請求の範囲の請求項２を「前記引出部の近傍に、第２の疑似電極が形成されていることを特徴とする請求項１記載の液晶表示素子。」と訂正する。
３．発明の詳細な説明の［課題を解決するための手段］中の請求項１および請求項２に係る発明に関する記載を特許請求の範囲の訂正に合わせて訂正する。
（５４）【発明の名称】
　液晶表示素子
（５７）【特許請求の範囲】
　【請求項１】　複数の透明電極を形成した２枚の基板で液晶を挟んだ液晶表示素子において、
　前記各透明電極の
表示部と端子部との間に、屈曲した引出部が前記表示部から連続して形成され、前記
直線的に
第１の
第１の
　【請求項２】　
前記引出部の近傍に、第２の疑似電極が形成されている
【発明の詳細な説明】
　【０００１】
　【産業上の利用分野】
　本発明は、ＴＮ、ＳＴＮ方式などによる大型の液晶表示素子に関する。
　【０００２】
　【従来の技術】
　液晶表示素子は、図１に示すように透明電極（図示せず）を設けた２枚のガラス基板１，２間に液晶膜（図示せず）を挟んで成り、図２、図４に示すようにそれぞれのガラス基板１，２に設けた透明電極３，４が交差した表示部３ａ，４ａにおいて、所望箇所に電圧を印加することにより、生じた電界で液晶の配向を変化させ、その際の透光性の差により各種の表示を行うようにしていた。ここにおいて上述した透明電極３は、生産上、表示部３ａと端子部３ｃとでそのピッチが異なるので、図２に示すように両者を屈曲した引出部３ｂを介して連続させ、電極の厚さにより生じるセルギャップの差でコントラストむらが生じることを防止する為に該引出部３ｂの外側には、接続に供されない疑似電極部３ｄを設けることとしていた。そして、この疑似電極部３ｄは、帯電防止の為、最も外側の電極に接続されていた。
　【０００３】
　上記構成の液晶表示素子において、従来は表示部３ａの他方側にも左右のセルギャップの均一性を持たせる為に、図４に示すように上記疑似電極部３ｄや引出部３ｂとほぼ対称に同様の疑似電極部３ｆを設けることとしていた。
　【０００４】
　尚、図面中、符号１’，２’はそれぞれ上記ガラス基板１，２のガラスエッジを示し、４ｂ，４ｃはそれぞれ上記透明電極４の引出部と端子部を示す。
　【０００５】
　【発明が解決しようとする課題】
　上述した従来の液晶表示素子では、表示部３ａの透明電極３の一端に他端側の引出部３ｂや疑似電極部３ｄとほぼ対称に同様の疑似電極部３ｆを形成していたので、該表示部３ａの外端（図中、上下端）の透明電極３に接続された疑似電極部３ｆの面積が大きくなり、この部分がアンテナとして作用することにより、電圧ＯＦＦ時にも併設した冷陰極管等から発生した電磁波を受けてコントラストが変化し、表示に悪影響を及ぼすという問題点を有していた。本発明はこの従来の問題点を解決することを課題とする。
　【０００６】
　【課題を解決する為の手段】
　本発明では、上記の課題を解決するため、次のようにしている。
　すなわち、請求項１記載に係る本発明では、複数の透明電極を形成した２枚の基板で液晶を挟んだ液晶表示素子において、各透明電極の
表示部と端子部との間に、屈曲した引出部が前記表示部から連続して形成され、前記
直線的に
第１の
第１の
　また、請求項２記載に係る発明では、
前記引出部の近傍に、第２の疑似電極を
　【０００７】
　【作用】
　電極の先端を表示部から直線的に突出させた形状の疑似電極部は、表示部と周辺部とのセルギャップを均一に保つと共に、アンテナとして作用する箇所の面積を減少させ、電磁波の影響を低減させるように作用するものである。
　【０００８】
　【実施例】
　図１は、液晶表示素子の簡略平面図であり、液晶表示素子はそれぞれの表面にスパッタや加熱蒸着などの手段でＩＴＯ膜による所定の透明電極（図示せず）を形成した２枚のガラス基板１，２を、該透明電極を交差させると共に、間に液晶膜（図示せず）を挟んで重ね合わせたものである。
　【０００９】
　図２は、図１のＡ部拡大図であり、図示したようにコモン側のガラス基板１上に形成された透明電極３は、セグメント側のガラス基板２上の透明電極４と交差した表示部３ａから屈曲した引出部３ｂを介して接続用の端子部３ｃまで連続して形成されている。そして、通常、該端子部３ｃの端子間ピッチは、接続される機器側の端子に合わせて製作する必要上、表示部３ａより狭く形成されている。従って、このままではガラス基板１，２を重ね合わせた際に表示部３ａの隅角部でセル間ギャップが少なくなり、表示にコントラストむらを生じる恐れがある為、上記引出部３ｂの外側に従来と同様に略三角形状の疑似電極部３ｄ（図中斜線で示す）を設けて、電極厚さによるセル間ギャップの誤差を生じないようにしている。尚、この疑似電極部３ｄは、帯電を防止するために外側の電極に接続して設けている。
　【００１０】
　又、上記表示部３ａの他方側（図１において符号Ｂで示す）にも同様に左右のセル間ギャップを均一に保つために疑似電極部を設ける必要があるが、ここにおいて本発明では、図３の拡大図に示すようにコモン側透明電極３の先端をセグメント側の透明電極４が交差した表示部３ａからそのまま直線的に延長し、各透明電極３の先端に等面積の疑似電極部３ｅ（図中斜線で示す）を形成することとしている。
　【００１１】
　従って、本発明の液晶表示素子では、表示部を構成する透明電極の外側に同じ厚さの疑似電極部を形成しているので、ガラス基板を重ね合わせた際に表示部の各所のギャップが均一に保たれ、セル間ギャップの誤差によるコントラストむらを生じることがない。又、透明電極の先端に形成した疑似電極部は、面積が等しく、寸法的にも短いので、電磁波の影響を受けづらくなると共に、例え併設した冷陰極管などからの電磁波を受けてもＯＦＦ電圧印加時に各透明電極に印加される電圧は均一化されるので、電磁波によるコントラストむらも生じ難くなるものである。
　【００１２】
　尚、図面中、符号１’，２’はそれぞれコモン側ガラス基板１のガラスエッジと、セグメント側ガラス基板２のガラスエッジを示す。又、符号４ｂ，４ｃはそれぞれ上記セグメント側透明電極４の引出部と端子部である。
　【００１３】
　尚、本実施例ではコモン側の透明電極を例に説明したが、本発明はセルギャップを均一に保つ為の疑似電極部を透明電極の先端を直線的に突出させて形成し、電磁波の影響を受け難くすることとすれば良く、セグメント側に設けてもあるいは双方の透明電極に設けることとしても良い。
　【００１４】
　【発明の効果】
　以上のように本発明の液晶表示素子では、セルギャップを均一に保つ為にガラス基板上に形成された透明電極の引出部の他方側に設けられる疑似電極部を、他方側の透明電極と交差した表示部からその先端を直線的に突出させた形状とし、従来のように端部で長い疑似電極部が連続した箇所を無くしたので、併設した冷陰極管などから発生する電磁波の影響を受けづらくなる。よって、表示がより鮮明、正確となり、液晶表示素子の品質の向上に優れた効果を奏する。
【図面の簡単な説明】
　【図１】
　液晶表示素子の簡略平面図である。
　【図２】
　図１のＡ部拡大図である。
　【図３】
　実施例による図１のＢ部拡大図である。
　【図４】
　従来例における図１のＢ部拡大図である。
　【符号の説明】
１，２　ガラス基板
３，４　透明電極
３ａ，４ａ　表示部
３ｂ，４ｂ　引出部
３ｃ，４ｃ端子部
３ｄ，３ｅ，３ｆ　疑似電極部